(57)【要約】【課題】送受話音量を周囲音圧に応じて最適に制御することが出来る携帯電話端末、音量制御方法、プログラム及び記録媒体を提供する。【解決手段】受話音量レベルと、送話音量レベルと、を調整可能な音量制御手段を有する携帯電話端末であって、前記携帯電話端末で通話状態が開始された場合に、周囲の音圧を検出する音検出手段を有し、前記音量制御手段は、前記検出された音圧に応じて受話音量レベル、送話音量レベルの調整、イコライジングの制御を行うことを特徴とする携帯電話端末により、送受話音量を周囲音圧に応じて最適に制御することが出来る。【選択図】図１
2009206616.tif 000002
【特許請求の範囲】
【請求項１】
受話音量レベルと、送話音量レベルと、を調整可能な音量制御手段を有する携帯電話端末であって、
前記携帯電話端末で通話状態が開始された場合に、周囲の音圧を検出する音検出手段を有し、
前記音量制御手段は、前記検出された音圧に応じて受話音量レベル、送話音量レベルの調整、イコライジングの制御を行うことを特徴とする携帯電話端末。
【請求項２】
前記音検出手段は、送話音声を検出するマイクを用いて周囲の音圧を検出することを特徴とする請求項１記載の携帯電話端末。
【請求項３】
前記音量制御手段は、予め定めた一定間隔毎に受話音量レベルの調整、送話音量レベルの調整、イコライジングの制御を行うことを特徴とする請求項１又は２記載の携帯電話端末。
【請求項４】
受話音量レベルと、送話音量レベルと、を調整可能な音量制御手段を有する携帯電話端末の音量調整方法であって、
通話状態が開始された場合に、周囲の音圧を検出するステップと、
前記検出された音圧に応じて受話音量レベル、送話音量レベルの調整、イコライジングの制御を行うステップと、を有することを特徴とする音量制御方法。
【請求項５】
受話音量レベルと、送話音量レベルと、を調整可能な音量制御手段を有する携帯電話端末の音量調整方法であって、
通話状態が開始された場合に、周囲の音圧を検出するステップと、
前記検出された音圧に応じて受話音量レベル、送話音量レベルの調整、イコライジングの制御を行うステップと、を有することを特徴とする音量制御方法。
【請求項６】
前記受話音量レベル、送話音量レベルの調整、イコライジングの制御を行うステップは、予め定めた一定間隔毎に行うことを特徴とする請求項５記載の音量制御方法。
【請求項７】
受話音量レベルと、送話音量レベルと、を調整可能な音量制御手段を有する携帯電話端末の音量制御プログラムであって、
通話状態が開始された場合に、周囲の音圧を検出する処理と、
前記検出された音圧に応じて受話音量レベル、送話音量レベルの調整、イコライジングの制御を行う処理と、をコンピュータに実行させることを特徴とする音量制御プログラム。
【請求項８】
前記請求項７記載の音量制御プログラムの処理を記録するコンピュータ読取り可能な記録媒体。
【発明の詳細な説明】
【技術分野】
【０００１】
本発明は、携帯電話端末、音量制御方法、プログラム及び記録媒体に関し、特に送受話音量の調整を行う携帯電話端末、音量制御方法、プログラム及び記録媒体に関する。
【背景技術】
【０００２】
近年、携帯電話機が普及し、また、基地局も増えていることから様々な場所で携帯電話機を利用して通話することが出来る。
【０００３】
しかしながら、都市騒音の環境下等では、通話音量（送受話音量）の調整を行って通話しないと、周りの騒音で受話音量が聞きにくかったり、静かな所では受話音量を下げないと音漏れの原因になったりした。
【０００４】
そこで、送受話音量の調整や、携帯電話機が備えるオーディオプレイ機能を利用した際のイヤホンからの音漏れ防止装置等、音量の調整を目的とする技術がいくつか提案されている（特許文献１〜４参照）。
【特許文献１】特開２００７−８８５２１号公報
【特許文献２】特開平７−２７３８４０号公報
【特許文献３】特開平７−２９７９００号公報
【特許文献４】特開平８−１６３２１２号公報
【発明の開示】
【発明が解決しようとする課題】
【０００５】
しかしながら、上記のような技術は、受話音量調整はＵＩ（User Interface）上でのレベル調整となっているものがあり、操作がわずらわしいという問題があった。また、送話音量についても、ある固定値で決められていることが多く、周囲の雑音考慮していないという問題もあった。また、周囲の雑音によっては受話音が聞きとりにくくなることも多く、逆に静寂な環境では音漏れとなって周囲の人に通話内容を聞かれてしまうこともあった。また、送話音量としても過剰に周囲音を拾ってしまうこともあり、快適な通話を楽しむ上で課題となっていた。
【０００６】
本発明はこのような状況に鑑みてなされたものであり、携帯電話端末の送受話音量を周囲音圧に応じて最適に制御することを目的とする。
【課題を解決するための手段】
【０００７】
本発明に係る第１の携帯電話端末は、受話音量レベルと、送話音量レベルと、を調整可能な音量制御手段を有する携帯電話端末であって、前記携帯電話端末で通話状態が開始された場合に、周囲の音圧を検出する音検出手段を有し、前記音量制御手段は、前記検出された音圧に応じて受話音量レベル、送話音量レベルの調整、イコライジングの制御を行うことを特徴とする。
【０００８】
本発明に係る第１の音量制御方法は、受話音量レベルと、送話音量レベルと、を調整可能な音量制御手段を有する携帯電話端末の音量調整方法であって、通話状態が開始された場合に、周囲の音圧を検出するステップと、前記検出された音圧に応じて受話音量レベル、送話音量レベルの調整、イコライジングの制御を行うステップと、を有することを特徴とする。
【０００９】
本発明に係る第１の音量制御プログラムは、受話音量レベルと、送話音量レベルと、を調整可能な音量制御手段を有する携帯電話端末の音量制御プログラムであって、通話状態が開始された場合に、周囲の音圧を検出する処理と、前記検出された音圧に応じて受話音量レベル、送話音量レベルの調整、イコライジングの制御を行う処理と、をコンピュータに実行させることを特徴とする。
【００１０】
本発明に係る第１の記録媒体は、本発明の第１の音量制御プログラムの処理を記録するコンピュータ読取り可能な記録媒体である。
【発明の効果】
【００１１】
本発明によれば、携帯電話端末の送受話音量を周囲音圧に応じて最適に制御することが出来る。
【発明を実施するための最良の形態】
【００１２】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１３】
本発明は、携帯電話の受話音量／送話音量について周囲状況を把握・判断する機能を有し、常に最適なレベルで通話できることを特徴とする。
【００１４】
本発明の実施形態に係る携帯電話機のブロック構成図を図１に示す。周囲の音を検出する音検出部１、アンテナ部２、無線部３、キー入力部４、ＲＴＣ（Real Time Clock）部５、ＣＰＵ（Central Processing Unit）６、メモリ７、表示制御部８、表示部９、レシーバ制御部１０、レシーバ１１、マイク制御部１２、マイク１３から構成される。
【００１５】
特に本発明は音検出部１を備え、周囲状況を推測・判断した上で送話・受話レベルを変える機能を有することを特徴とする。
【００１６】
次に、本実施形態の動作処理について説明する。
【００１７】
通話状態入ったことをＣＰＵ６が認識すると、その時点での周囲の騒音状況を音検出部１により検出する。
【００１８】
図２は、音検出部１で検出した周囲の音圧と動作モードとの関係を説明するための図である。周囲音圧が静から騒へ変化するのに伴い、動作モードは、Mode A、Mode B、Mode Cへと変化する。
【００１９】
図３は、音検出部１で検出した周囲音圧と周波数の関係を説明するための図である。低音にピークがある場合はMode L、中高音にピークがある場合はMode M、とする。
【００２０】
上記各図に示すモードの組合わせにより、送話音量レベル、受話音量レベル、イコライジング特性を決定する。詳細は下記表１のように行う。
【００２１】
【表１】
2009206616.tif 000003
【００２２】
例えば周囲が静かな状態(Mode A)では、受話音量レベルを小に設定し音漏れを防き、送話音量レベルを大きくして小声での通話に対処する。ｆ特のイコライジングはかけずフラットとする。一定レベル以上の騒音を検出したら、騒音の周波数に応じてｆ特イコライジングを行い、送話・受話における明瞭度を改善する。
【００２３】
騒音が大きい環境(Mode C)においては、受話音量レベルを大きくし、送話音量レベルを抑える。
【００２４】
以上各図と表との参照や判断、制御はＣＰＵ６で行い、その結果をレシーバ制御部１０、マイク制御部１２に送信し、それぞれレシーバ１１、マイク１３を適切に制御する。
【００２５】
以上により、本実施形態に係る携帯電話端末は周囲の環境条件に合わせて、自動的に送受話レベルが変化させることで、あらゆる環境下において快適な通話を提供することが出来る。
【００２６】
また、音検出部１を設けず、通話用のマイクに音検出部１と同様の機能を持たせても良い。
【００２７】
また、音量レベルの調整を一定間隔で実施することで、通話中の環境変化にも対処可能となる。
【００２８】
なお、本発明を実行するためのＣＰＵによる処理は本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００２９】
以上、本発明を好適な実施形態に基づき具体的に説明したが、本発明は上記のものに限定されるものではなく、その要旨を逸脱しない範囲で種々変更可能であることは言うまでもない。
【図面の簡単な説明】
【００３０】
【図１】本発明の実施形態に係る携帯電話端末のブロック構成図である。
【図２】本発明の実施形態に係る音検出部１で検出した周囲の音圧と動作モードとの関係を説明するための図である。
【図３】本発明の実施形態に係る音検出部１で検出した周囲音圧と周波数の関係を説明するための図である。
【符号の説明】
【００３１】
１    音検出部
２    アンテナ部
３    無線部
４    キー入力部
５    ＲＴＣ部
６    ＣＰＵ
７    メモリ
８    表示制御部
９    表示部
１０    レシーバ制御部
１１    レシーバ
１２    マイク制御部
１３    マイク
【図１】
2009206616.tif 000004
【図２】
2009206616.tif 000005
【図３】
2009206616.tif 000006